【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
コンピュータ化されたデバイスを用いてユーザの視力検査を行う方法であって、
前記方法は、
ディスプレイスクリーンと、カメラと、マイクと、スピーカと、コンピュータプロセッサと、メモリとを備えるコンピュータ化されたデバイスを用いて、ユーザの視力を評価するための視力検査を開始し、
前記コンピュータ化されたデバイスの前記カメラによって撮像された前記ユーザの画像を用い、前記ユーザの物理的特徴の画像サイズに基づいて前記ユーザと前記コンピュータ化されたデバイスとの間の離間距離を前記コンピュータ化されたデバイスにより判定し、
前記コンピュータ化されたデバイスにより、前記ユーザと前記コンピュータ化されたデバイスとの間の前記距離を所定の離間距離範囲に調整するように前記ユーザに指示し、
屈折レンズアセンブリを用いない前記視力検査を前記コンピュータ化されたデバイスにより前記ユーザに提示し、前記視力検査の提示は前記ユーザが視認するように前記コンピュータ化されたデバイスの前記ディスプレイスクリーンに所定の視標を表示することを含み、
前記ユーザが前記所定の視標を見た識別内容を前記コンピュータ化されたデバイスで記録し、
前記識別内容に基づき、前記ユーザが行った視力検査のスコアを判定することを含むことを特徴とする方法。
【請求項２】
前記方法は、
所定のサイズで頭部とほぼ同じ形状の輪郭を前記ディスプレイスクリーンに表示し、前記カメラを起動し、
前記輪郭に対して前記撮像されたユーザの頭部をリアルタイムで表示することで、前記コンピュータ化されたデバイスを適切に配置するためにユーザにリアルタイムでフィードバックしながら、前記ユーザに前記コンピュータ化されたデバイスを位置決めするように前記ユーザに指示し、
前記ユーザと前記コンピュータ化されたデバイスとの間の離間距離と、前記ユーザの顔に対するカメラの位置合わせのうちの少なくとも一方が、眼表面の画像を撮像するための閾値を満たしているかを判定し、
前記コンピュータ化されたデバイスの前記カメラを用いて、前記ユーザの眼の眼表面の画像を撮像することをさらに含む、請求項１に記載の方法。
【請求項３】
前記ユーザの眼の眼表面の画像の撮像は、
前記ユーザの眼の向きが適切な位置にあることを検出するためにリアルタイムの画像分析によって前記ユーザの眼の画像を処理し、
前記ユーザの眼が適切な位置にある状態で、前記ユーザの眼の静止画像を取得し、
前記静止画像を眼表面画像と指定して保存することを含む、請求項２に記載の方法。
【請求項４】
前記ユーザの眼の眼表面の画像の撮像は、
前記コンピュータ化されたデバイスの複数のカメラにより前記眼表面の画像を同時に撮像することを含み、前記複数のカメラは互いに間隔を置いて配置され、それにより複数の異なる方向から前記眼表面の画像を得る、請求項２に記載の方法。
【請求項５】
前記方法は、
前記ユーザとコンピュータ化されたデバイスとが前記所定の離間距離範囲だけ離れた状態で、前記コンピュータ化されたデバイスの前記マイクを用いて前記ユーザの音声サンプルを取得し、
前記音声サンプルの音声処理に基づいて音声品質測定基準を算定し、
前記コンピュータ化されたデバイスの前記ディスプレイスクリーンに前記所定の視標を表示する前に、前記音声品質測定基準が前記視力検査を実行可能とするのに十分であるか否かを判定することを含む、請求項１〜４のいずれか１項に記載の方法。
【請求項６】
前記方法は、
前記視力検査を提示する前に、前記コンピュータ化されたデバイスの前記ディスプレイスクリーンの自動輝度調節を一時停止することを含む、請求項１〜５のいずれか１項に記載の方法。
【請求項７】
前記コンピュータ化されたデバイスの前記ディスプレイスクリーンへの前記所定の視標の表示は、前記コンピュータ化されたデバイスによって判定した前記ユーザと前記コンピュータ化されたデバイスとの間の離間距離に基づいて、前記ディスプレイスクリーンに表示される前記所定の視標のサイズを変更することなく行われる、請求項１〜６のいずれか１項に記載の方法。
【請求項８】
前記コンピュータ化されたデバイスは、タブレット型コンピュータ、スマートフォン、又は、パーソナルコンピュータを含む、請求項１〜７のいずれか１項に記載の方法。
【請求項９】
ユーザの視力検査を行うためのシステムであって、
コンピュータ化されたデバイスを備え、
前記コンピュータ化されたデバイスは、
ディスプレイスクリーンと、
カメラと、
マイクと、
スピーカと、
コンピュータプロセッサと、
メモリと、を備え、
前記コンピュータプロセッサは、前記コンピュータ化されたデバイスに、
ユーザの視力を評価するための前記コンピュータ化されたデバイスを用いた視力検査を開始させ、
前記コンピュータ化されたデバイスの前記カメラによって撮像された前記ユーザの画像を用い、前記ユーザの物理的特徴の画像サイズに基づいて前記ユーザと前記コンピュータ化されたデバイスとの間の離間距離を判定させ、
前記ユーザと前記コンピュータ化されたデバイスとの間の前記距離を調整するように前記ユーザに指示させ、所定の離間距離範囲に達したことを前記ユーザに指示させ、
前記ユーザが視認するように前記コンピュータ化されたデバイスの前記ディスプレイスクリーンに所定の視標を表示することを含む視力検査であって、屈折レンズアセンブリを用いない前記視力検査を前記ユーザに提示させ、
前記コンピュータ化されたデバイスを介して前記ユーザが前記所定の視標を見た識別内容を受信させ、
前記受信した識別内容に基づき、前記ユーザが行った前記視力検査のスコアを判定させるように構成されたことを特徴とするシステム。
【請求項１０】
前記コンピュータプロセッサは、前記コンピュータ化されたデバイスに、
所定のサイズで頭部とほぼ同じ形状の輪郭を前記ディスプレイスクリーンに表示させ、
カメラを起動させ、
前記輪郭に対して前記撮像されたユーザの頭部をリアルタイムで表示することで、コンピュータ化されたデバイスを適切に配置するためにユーザにリアルタイムでフィードバックしながら、前記ユーザに前記コンピュータ化されたデバイスを位置決めするように前記ユーザに指示させ、
前記ユーザと前記コンピュータ化されたデバイスとの間の離間距離と、前記ユーザの顔に対するカメラの位置合わせのうちの少なくとも一方が、眼表面の画像を撮像するための閾値を満たしているかを判定させ、
前記コンピュータ化されたデバイスの前記カメラを用いて、前記ユーザの眼の眼表面の画像を撮像させるようにさらに構成された、請求項９に記載のシステム。
【請求項１１】
前記コンピュータプロセッサは、前記コンピュータ化されたデバイスに、
前記ユーザの眼の向きが適切な位置にあることを検出するためにリアルタイムの画像分析によって前記ユーザの眼の画像を処理し、
前記ユーザの眼が適切な位置にある状態で、前記ユーザの眼の静止画像を取得し、
前記静止画像を眼表面画像と指定して保存することにより、前記ユーザの眼の眼表面の画像を撮像させるようにさらに構成された、請求項１０に記載のシステム。
【請求項１２】
前記コンピュータプロセッサは、前記コンピュータ化されたデバイスに、
前記コンピュータ化されたデバイスの複数のカメラにより前記眼表面の画像を同時に撮像することにより前記ユーザの眼の前記眼表面の画像を撮像させるようにさらに構成され、前記複数のカメラは互いに間隔を置いて配置される、請求項１０に記載のシステム。
【請求項１３】
前記コンピュータプロセッサは、前記コンピュータ化されたデバイスに、
前記ユーザとコンピュータ化されたデバイスとが前記所定の離間距離範囲だけ離れた状態で、前記コンピュータ化されたデバイスの前記マイクを用いて前記ユーザの音声サンプルを取得させ、
前記音声サンプルの音声処理に基づいて音声品質測定基準を算定させ、
前記コンピュータ化されたデバイスの前記ディスプレイスクリーンに前記所定の視標を表示する前に、前記音声品質測定基準が視力検査を実行可能とするのに十分であるか否かを判定させるようにさらに構成された、請求項９〜１２のいずれか１項に記載のシステム。
【請求項１４】
前記コンピュータプロセッサは、前記コンピュータ化されたデバイスに、
前記視力検査を提示する前に、前記コンピュータ化されたデバイスの前記ディスプレイスクリーンの自動輝度調節を一時停止させるようにさらに構成された、請求項９〜１３のいずれか１項に記載のシステム。
【請求項１５】
前記コンピュータ化されたデバイスの前記ディスプレイスクリーンへの前記所定の視標の表示は、前記所定の離間距離範囲に基づいて、前記ディスプレイスクリーンに表示される前記所定の視標のサイズを変更することなく行われる、請求項９〜１４のいずれか１項に記載のシステム。
【請求項１６】
前記コンピュータ化されたデバイスは、タブレット型コンピュータ、スマートフォン、又は、パーソナルコンピュータを備える、請求項９〜１５のいずれか１項に記載のシステム。
【請求項１７】
コンピュータ化されたデバイスがユーザの視力検査を行えるようにするためのプログラム命令を含む非一時的コンピュータ読み取り可能媒体であって、前記プログラム命令は、実行された際に、前記コンピュータ化されたデバイスのコンピュータプロセッサに、
ディスプレイスクリーンと、カメラと、マイクと、スピーカと、コンピュータプロセッサと、メモリとを備えた前記コンピュータ化されたデバイスを用い、ユーザの視力を評価するための視力検査を開始させ、
前記コンピュータ化されたデバイスの前記カメラによって撮像された前記ユーザの画像を用い、前記ユーザの物理的特徴の画像サイズに基づいて前記ユーザと前記コンピュータ化されたデバイスとの間の離間距離を判定させ、
前記ユーザと前記コンピュータ化されたデバイスとの間の前記距離を所定の離間距離範囲に調整するように前記ユーザに指示させ、
前記ユーザが視認するように前記コンピュータ化されたデバイスの前記ディスプレイスクリーンに所定の視標を表示することを含む視力検査であって、屈折レンズアセンブリを用いない前記視力検査を前記ユーザに提示させ、
前記コンピュータ化されたデバイスを介して前記ユーザが前記所定の視標を見た識別内容を受信させ、
前記受信した識別内容に基づき、前記ユーザが行った視力検査のスコアを判定させるように構成されたことを特徴とする、非一時的コンピュータ読み取り可能媒体。
【請求項１８】
前記プログラム命令は、前記コンピュータプロセッサに前記コンピュータ化されたデバイスを制御させ、
所定のサイズで頭部とほぼ同じ形状の輪郭を前記ディスプレイスクリーンに表示させ、
カメラを起動させ、
前記輪郭に対して前記撮像されたユーザの頭部をリアルタイムで表示することで、前記ユーザに前記コンピュータ化されたデバイスを位置決めするように前記ユーザに指示させ、
前記ユーザと前記コンピュータ化されたデバイスとの間の離間距離と、前記ユーザの顔に対するカメラの位置合わせのうちの少なくとも一方が、眼表面の画像を撮像するための閾値を満たしているかを判定させ、
前記コンピュータ化されたデバイスの前記カメラを用いて、前記ユーザの眼の眼表面の画像を撮像させるようにさらに構成された、請求項１７に記載の非一時的コンピュータ読み取り可能媒体。
【請求項１９】
前記プログラム命令は、前記コンピュータプロセッサに前記コンピュータ化されたデバイスを制御させ、
前記ユーザの眼の向きが適切な位置にあることを検出するためにリアルタイムの画像分析によって前記ユーザの眼の画像を処理し、
前記ユーザの眼が適切な位置にある状態で、前記ユーザの眼の静止画像を取得し、
前記静止画像を眼表面画像と指定して保存することにより、前記ユーザの眼の眼表面の画像を撮像させるようにさらに構成された、請求項１８に記載の非一時的コンピュータ読み取り可能媒体。
【請求項２０】
前記プログラム命令は、前記コンピュータプロセッサに前記コンピュータ化されたデバイスを制御させ、
前記コンピュータ化されたデバイスの複数のカメラにより前記眼表面の画像を同時に撮像することにより前記ユーザの眼の前記眼表面の画像を撮像させるようにさらに構成され、前記複数のカメラは、複数の異なる方向から前記眼表面の画像を得るように配置される、請求項１８に記載の非一時的コンピュータ読み取り可能媒体。
【請求項２１】
前記プログラム命令は、前記コンピュータプロセッサに前記コンピュータ化されたデバイスを制御させ、
前記ユーザとコンピュータ化されたデバイスとが前記所定の離間距離範囲だけ離れた状態で、前記コンピュータ化されたデバイスの前記マイクを用いて前記ユーザの音声サンプルを取得させ、
前記音声サンプルの音声処理に基づいて音声品質測定基準を算定させ、
前記コンピュータ化されたデバイスの前記ディスプレイスクリーンに前記所定の視標を表示する前に、前記音声品質測定基準が視力検査を実行可能とするのに十分であるか否かを判定させるようにさらに構成された、請求項１７〜２０のいずれか１項に記載の非一時的コンピュータ読み取り可能媒体。
【請求項２２】
前記プログラム命令は、前記コンピュータプロセッサに前記コンピュータ化されたデバイスを制御させ、
前記視力検査を提示する前に、前記コンピュータ化されたデバイスの前記ディスプレイスクリーンの自動輝度調節を一時停止させるように構成された、請求項１７〜２１のいずれか１項に記載の非一時的コンピュータ読み取り可能媒体。
【請求項２３】
前記プログラム命令は、前記コンピュータプロセッサに前記コンピュータ化されたデバイスを制御させ、
前記所定の離間距離範囲に基づいて前記ディスプレイスクリーンに表示される前記所定の視標のサイズを変更することなく、前記コンピュータ化されたデバイスの前記ディスプレイスクリーンに前記所定の視標を表示させるようにさらに構成された、請求項１７〜２２のいずれか１項に記載の非一時的コンピュータ読み取り可能媒体。
【請求項２４】
前記コンピュータ化されたデバイスは、タブレット型コンピュータ、スマートフォン、又は、パーソナルコンピュータを備える、請求項１７〜２３のいずれか１項に記載の非一時的コンピュータ読み取り可能媒体。
【請求項２５】
ユーザの視力検査を行う方法であって、
前記方法は、
ディスプレイスクリーンと、カメラと、マイク及びスピーカを含む音声インターフェースと、コンピュータプロセッサと、メモリとを備えたコンピュータ化されたデバイスを用いた視力検査であって、前記ユーザに情報を表示し、タッチセンシティブフィールドを介して前記ユーザが入力を行うグラフィカルインターフェースを含む、前記視力検査を開始し、
前記コンピュータ化されたデバイスの前記カメラによって撮像された前記ユーザの画像から測定された前記コンピュータ化されたデバイスと前記ユーザとの間の測定距離に関する距離情報を判定し、前記グラフィカルインターフェースは前記測定距離の変化に伴いリアルタイムで前記距離情報を動的に表示するように構成され、
前記グラフィカルインターフェースを介し、前記ユーザが視認するための所定の視標の表示を含み、屈折レンズアセンブリを用いない前記視力検査を表示し、前記音声インターフェースの前記スピーカを介して前記視力検査に関する音声指示を提示し、
前記音声インターフェースの前記マイクを介し、前記ユーザが前記所定の視標を見て発話した識別内容を記録し、
前記ユーザが発話した識別内容に対して音声認識を実行して前記発話した識別内容に対応するように変換された文字列を生成し、
前記変換された文字列に基づき、前記ユーザが行った前記視力検査のスコアを判定することを含むことを特徴とする方法。
【請求項２６】
前記方法は、
前記グラフィカルインターフェースを介し、所定のサイズで頭部とほぼ同じ形状の輪郭を、前記カメラによりリアルタイムで取得した前記ユーザの画像と重ね合わせて表示することで、前記コンピュータ化されたデバイスを適切に配置するためのフィードバックをリアルタイムでユーザに提供し、
前記ユーザと前記コンピュータ化されたデバイスとの間の離間距離と、前記ユーザの顔に対するカメラの位置合わせのうちの少なくとも一方が、眼表面の画像を撮像するための閾値を満たしているかを判定し、
正しく配置がなされたことを、前記ユーザに指示し、
前記コンピュータ化されたデバイスの前記カメラを用いて、前記ユーザの眼の眼表面の画像を撮像することを含む、請求項２５に記載の方法。
【請求項２７】
前記方法は、
前記コンピュータ化されたデバイスの複数のカメラにより前記眼表面の画像を同時に撮像することを含み、前記複数のカメラは、複数の異なる方向から前記眼表面の画像を得るように構成された、請求項２６に記載の方法。